(57)【特許請求の範囲】
【請求項１】
画像や音声等の情報をキャプチャ可能な容量を有する第一の記憶手段と、ユーザ固有情報が格納された第二の記憶手段とを装着可能なキャプチャ情報暗号化装置であって、
キャプチャ情報を暗号化するための第一の共通鍵を生成し、該第一の共通鍵を用いて前記キャプチャ情報を暗号化する第一の暗号化手段と、
前記キャプチャ情報を暗号化するときに前記ユーザ固有情報が格納された前記第二の記憶手段が装着されている場合、前記ユーザ固有情報を第二の共通鍵として用いて前記第一の共通鍵を暗号化し、前記キャプチャ情報を暗号化するときに前記ユーザ固有情報が格納された前記第二の記憶手段が装着されていない場合、機器製造シリアル番号を第二の共通鍵として用いて前記第一の共通鍵を暗号化する第二の暗号化手段と、
前記第一の暗号化手段により暗号化済みのキャプチャ情報、及び、前記第二の暗号化手段により暗号化済みの第一の共通鍵を前記第一の記憶手段に格納する格納制御手段と、
前記第一の記憶手段に格納された暗号化済みのキャプチャ情報を復号するときに前記第二の記憶手段が装着されている場合、前記第二の暗号化手段により暗号化済みの第一の共通鍵を、前記ユーザ固有情報を第二の共通鍵として用いて復号し、前記第一の共通鍵の復号に第二の共通鍵として用いられたユーザ固有情報が、前記第一の暗号化手段による前記第一の共通鍵の暗号化に第二の共通鍵として用いられたユーザ固有情報であれば、正常に復号された第一の共通鍵を用いて前記キャプチャ情報を正常に復号し、前記第一の記憶手段に格納された暗号化済みのキャプチャ情報を復号するときに前記第二の記憶手段が装着されていない場合、前記第二の暗号化手段により暗号化済みの第一の共通鍵を、機器製造シリアル番号を第二の共通鍵として用いて復号し、前記第一の共通鍵の復号に第二の共通鍵として用いられた機器製造シリアル番号が、前記第一の暗号化手段による前記第一の共通鍵の暗号化に第二の共通鍵として用いられた機器製造シリアル番号であれば、正常に復号された第一の共通鍵を用いて前記キャプチャ情報を正常に復号する復号手段と
を有することを特徴とするキャプチャ情報暗号化装置。
【請求項２】
画像や音声等の情報をキャプチャ可能な容量を有する第一の記憶手段と、ユーザ固有情報が格納された第二の記憶手段とを装着可能な情報キャプチャ対応機器であって、第一の暗号化手段と、第二の暗号化手段と、格納制御手段と、復号手段とを有する情報キャプチャ対応機器が行うキャプチャ情報暗号化方法であって、
キャプチャ情報を暗号化するための第一の共通鍵を生成し、該第一の共通鍵を用いて前記キャプチャ情報を暗号化する前記第一の暗号化手段による第一の暗号化工程と、
前記キャプチャ情報を暗号化するときに前記ユーザ固有情報が格納された前記第二の記憶手段が装着されている場合、前記ユーザ固有情報を第二の共通鍵として用いて前記第一の共通鍵を暗号化し、前記キャプチャ情報を暗号化するときに前記ユーザ固有情報が格納された前記第二の記憶手段が装着されていない場合、機器製造シリアル番号を第二の共通鍵として用いて前記第一の共通鍵を暗号化する前記第二の暗号化手段による第二の暗号化工程と、
前記第一の暗号化工程により暗号化済みのキャプチャ情報、及び、前記第二の暗号化工程により暗号化済みの共通鍵を前記第一の記憶手段に格納する前記格納制御手段による格納制御工程と、
前記第一の記憶手段に格納された暗号化済みのキャプチャ情報を復号するときに前記第二の記憶手段が装着されている場合、前記第一の暗号化工程により暗号化済みの第一の共通鍵を、前記ユーザ固有情報を第二の共通鍵として用いて復号し、前記第一の共通鍵の復号に第二の共通鍵として用いられたユーザ固有情報が、前記第一の暗号化工程による前記第一の共通鍵の暗号化に第二の共通鍵として用いられたユーザ固有情報であれば、正常に復号された第一の共通鍵を用いて前記キャプチャ情報を正常に復号し、前記第一の記憶手段に格納された暗号化済みのキャプチャ情報を復号するときに前記第二の記憶手段が装着されていない場合、前記第二の暗号化工程により暗号化済みの第一の共通鍵を、機器製造シリアル番号を第二の共通鍵として用いて復号し、前記第一の共通鍵の復号に第二の共通鍵として用いられた機器製造シリアル番号が、前記第一の暗号化工程による前記第一の共通鍵の暗号化に第二の共通鍵として用いられた機器製造シリアル番号であれば、正常に復号された第一の共通鍵を用いて前記キャプチャ情報を正常に復号する前記復号手段による復号工程と
を有することを特徴とするキャプチャ情報暗号化方法。
【請求項３】
画像や音声等の情報をキャプチャ可能な容量を有する第一の記憶手段と、ユーザ固有情報が格納された第二の記憶手段とを装着可能な情報キャプチャ対応機器のキャプチャ情報暗号化方法をコンピュータに実行させるためのコンピュータ読み取り可能なプログラムを記憶した記憶媒体であって、
キャプチャ情報を暗号化するための第一の共通鍵を生成し、該第一の共通鍵を用いて前記キャプチャ情報を暗号化する第一の暗号化ステップと、
前記キャプチャ情報を暗号化するときに前記ユーザ固有情報が格納された前記第二の記憶手段が装着されている場合、前記ユーザ固有情報を第二の共通鍵として用いて前記第一の共通鍵を暗号化し、前記キャプチャ情報を暗号化するときに前記ユーザ固有情報が格納された前記第二の記憶手段が装着されていない場合、機器製造シリアル番号を第二の共通鍵として用いて前記第一の共通鍵を暗号化する第二の暗号化ステップと、
前記第一の暗号化ステップにより暗号化済みのキャプチャ情報、及び、前記第二の暗号化ステップにより暗号化済みの第一の共通鍵を前記第一の記憶手段に格納する格納制御ステップと、
前記第一の記憶手段に格納された暗号化済みのキャプチャ情報を復号するときに前記第二の記憶手段が装着されている場合、前記第二の暗号化ステップにより暗号化済みの第一の共通鍵を、前記ユーザ固有情報を第二の共通鍵として用いて復号し、前記第一の共通鍵の復号に第二の共通鍵として用いられたユーザ固有情報が、前記第一の暗号化ステップによる前記第一の共通鍵の暗号化に第二の共通鍵として用いられたユーザ固有情報であれば、正常に復号された第一の共通鍵を用いて前記キャプチャ情報を正常に復号し、前記第一の記憶手段に格納された暗号化済みのキャプチャ情報を復号するときに前記第二の記憶手段が装着されていない場合、前記第二の暗号化ステップにより暗号化済みの第一の共通鍵を、機器製造シリアル番号を第二の共通鍵として用いて復号し、前記第一の共通鍵の復号に第二の共通鍵として用いられた機器製造シリアル番号が、前記第一の暗号化ステップによる前記第一の共通鍵の暗号化に第二の共通鍵として用いられた機器製造シリアル番号であれば、正常に復号された第一の共通鍵を用いて前記キャプチャ情報を正常に復号する復号ステップと
を有するキャプチャ情報暗号化方法をコンピュータに実行させるプログラムを記憶した記憶媒体。
【発明の詳細な説明】
【０００１】
【発明の属する技術分野】
本発明は、キャプチャ情報暗号化装置、キャプチャ情報暗号化方法及び記憶媒体に係り、特に、着脱・携帯可能な大容量メモリ内に、音楽・映画・ＴＶ番組・コンピュータゲーム等、著作物の一部分のキャプチャを行う際に、著作権保護法等で規定されている個人利用コピーの範囲を逸脱しないためのキャプチャ方法及び対応機器の制御方法を実現する場合に好適なキャプチャ情報暗号化装置、キャプチャ情報暗号化方法及び記憶媒体に関する。
【０００２】
【従来の技術】
従来、上記の音楽・映画・ＴＶ番組・コンピュータゲーム等の各種著作物をキャプチャする媒体として、磁気テープを用いたアナログ記録が広く用いられてきたが、キャプチャの際に品質が劣化するという欠点があったため、更なるコピーの恐れは少なかった。
【０００３】
近年、ＭＤ（Mini Disc）、ＤＶ（Digital Video）、ＤＶＤ（Digital Video Disc）等のデジタル記録媒体が登場し、キャプチャの際の品質劣化という欠点が克服され、更なるコピーの恐れが大きくなった。これに対しては、記録機能を有する機器の販売価格に著作権者への見返り分を付加してユーザに販売する形で対応している。
【０００４】
【発明が解決しようとする課題】
しかしながら、上記の従来例では以下のような問題点があった。即ち、ＭＤ、ＤＶ、ＤＶＤ等のように、記録機能を有する機器の販売価格に著作権者への見返り分を既に上乗せした形で販売するのであれば、著作権保護法等において正当な権利として保証されている個人利用範囲のキャプチャに利用のみを行うユーザや、全くキャプチャ機能を利用しないユーザに対して、機器提供の際に不要な経済的負担を強いる結果となる。
【０００５】
この対応として、ＭＤ、ＤＶ、ＤＶＤ等では、メーカ側で、記録機能を持たない再生専用機器を別途にラインナップし、著作権者への見返り分が上乗せされない価格設定の機器を供給することで対応しているが、製品ラインナップ数の増加に繋がり、量産効果による機器のコストダウンの障害や製品流通の複雑化の要因となっている。この対応方法では、コンピュータゲーム機等、単一機種を大量に流通させることで市場を形成する分野の機器に対応させることは非効率的である。
【０００６】
本発明は、上述した点に鑑みなされたものであり、キャプチャ情の利用を制限することを可能とし、ユーザの利便性の向上を可能としたキャプチャ情報暗号化装置、キャプチャ情報暗号化方法及び記憶媒体を提供することを目的とする。
【０００７】
【課題を解決するための手段】
上記目的を達成するため、本発明のキャプチャ情報暗号化装置は、画像や音声等の情報をキャプチャ可能な容量を有する第一の記憶手段と、ユーザ固有情報が格納された第二の記憶手段とを装着可能なキャプチャ情報暗号化装置であって、キャプチャ情報を暗号化するための第一の共通鍵を生成し、該第一の共通鍵を用いて前記キャプチャ情報を暗号化する第一の暗号化手段と、前記キャプチャ情報を暗号化するときに前記ユーザ固有情報が格納された前記第二の記憶手段が装着されている場合、前記ユーザ固有情報を第二の共通鍵として用いて前記第一の共通鍵を暗号化し、前記キャプチャ情報を暗号化するときに前記ユーザ固有情報が格納された前記第二の記憶手段が装着されていない場合、機器製造シリアル番号を第二の共通鍵として用いて前記第一の共通鍵を暗号化する第二の暗号化手段と、前記第一の暗号化手段により暗号化済みのキャプチャ情報、及び、前記第二の暗号化手段により暗号化済みの第一の共通鍵を前記第一の記憶手段に格納する格納制御手段と、前記第一の記憶手段に格納された暗号化済みのキャプチャ情報を復号するときに前記第二の記憶手段が装着されている場合、前記第二の暗号化手段により暗号化済みの第一の共通鍵を、前記ユーザ固有情報を第二の共通鍵として用いて復号し、前記第一の共通鍵の復号に第二の共通鍵として用いられたユーザ固有情報が、前記第一の暗号化手段による前記第一の共通鍵の暗号化に第二の共通鍵として用いられたユーザ固有情報であれば、正常に復号された第一の共通鍵を用いて前記キャプチャ情報を正常に復号し、前記第一の記憶手段に格納された暗号化済みのキャプチャ情報を復号するときに前記第二の記憶手段が装着されていない場合、前記第二の暗号化手段により暗号化済みの第一の共通鍵を、機器製造シリアル番号を第二の共通鍵として用いて復号し、前記第一の共通鍵の復号に第二の共通鍵として用いられた機器製造シリアル番号が、前記第一の暗号化手段による前記第一の共通鍵の暗号化に第二の共通鍵として用いられた機器製造シリアル番号であれば、正常に復号された第一の共通鍵を用いて前記キャプチャ情報を正常に復号する復号手段とを有することを特徴とする。
【０００８】
上記目的を達成するため、本発明のキャプチャ情報暗号化方法は、画像や音声等の情報をキャプチャ可能な容量を有する第一の記憶手段と、ユーザ固有情報が格納された第二の記憶手段とを装着可能な情報キャプチャ対応機器であって、第一の暗号化手段と、第二の暗号化手段と、格納制御手段と、復号手段とを有する情報キャプチャ対応機器が行うキャプチャ情報暗号化方法であって、キャプチャ情報を暗号化するための第一の共通鍵を生成し、該第一の共通鍵を用いて前記キャプチャ情報を暗号化する前記第一の暗号化手段による第一の暗号化工程と、前記キャプチャ情報を暗号化するときに前記ユーザ固有情報が格納された前記第二の記憶手段が装着されている場合、前記ユーザ固有情報を第二の共通鍵として用いて前記第一の共通鍵を暗号化し、前記キャプチャ情報を暗号化するときに前記ユーザ固有情報が格納された前記第二の記憶手段が装着されていない場合、機器製造シリアル番号を第二の共通鍵として用いて前記第一の共通鍵を暗号化する前記第二の暗号化手段による第二の暗号化工程と、前記第一の暗号化工程により暗号化済みのキャプチャ情報、及び、前記第二の暗号化工程により暗号化済みの共通鍵を前記第一の記憶手段に格納する前記格納制御手段による格納制御工程と、前記第一の記憶手段に格納された暗号化済みのキャプチャ情報を復号するときに前記第二の記憶手段が装着されている場合、前記第一の暗号化工程により暗号化済みの第一の共通鍵を、前記ユーザ固有情報を第二の共通鍵として用いて復号し、前記第一の共通鍵の復号に第二の共通鍵として用いられたユーザ固有情報が、前記第一の暗号化工程による前記第一の共通鍵の暗号化に第二の共通鍵として用いられたユーザ固有情報であれば、正常に復号された第一の共通鍵を用いて前記キャプチャ情報を正常に復号し、前記第一の記憶手段に格納された暗号化済みのキャプチャ情報を復号するときに前記第二の記憶手段が装着されていない場合、前記第二の暗号化工程により暗号化済みの第一の共通鍵を、機器製造シリアル番号を第二の共通鍵として用いて復号し、前記第一の共通鍵の復号に第二の共通鍵として用いられた機器製造シリアル番号が、前記第一の暗号化工程による前記第一の共通鍵の暗号化に第二の共通鍵として用いられた機器製造シリアル番号であれば、正常に復号された第一の共通鍵を用いて前記キャプチャ情報を正常に復号する前記復号手段による復号工程とを有することを特徴とする。
【０００９】
上記目的を達成するため、本発明の記憶媒体は、画像や音声等の情報をキャプチャ可能な容量を有する第一の記憶手段と、ユーザ固有情報が格納された第二の記憶手段とを装着可能な情報キャプチャ対応機器のキャプチャ情報暗号化方法をコンピュータに実行させるためのコンピュータ読み取り可能なプログラムを記憶した記憶媒体であって、キャプチャ情報を暗号化するための第一の共通鍵を生成し、該第一の共通鍵を用いて前記キャプチャ情報を暗号化する第一の暗号化ステップと、前記キャプチャ情報を暗号化するときに前記ユーザ固有情報が格納された前記第二の記憶手段が装着されている場合、前記ユーザ固有情報を第二の共通鍵として用いて前記第一の共通鍵を暗号化し、前記キャプチャ情報を暗号化するときに前記ユーザ固有情報が格納された前記第二の記憶手段が装着されていない場合、機器製造シリアル番号を第二の共通鍵として用いて前記第一の共通鍵を暗号化する第二の暗号化ステップと、前記第一の暗号化ステップにより暗号化済みのキャプチャ情報、及び、前記第二の暗号化ステップにより暗号化済みの第一の共通鍵を前記第一の記憶手段に格納する格納制御ステップと、前記第一の記憶手段に格納された暗号化済みのキャプチャ情報を復号するときに前記第二の記憶手段が装着されている場合、前記第二の暗号化ステップにより暗号化済みの第一の共通鍵を、前記ユーザ固有情報を第二の共通鍵として用いて復号し、前記第一の共通鍵の復号に第二の共通鍵として用いられたユーザ固有情報が、前記第一の暗号化ステップによる前記第一の共通鍵の暗号化に第二の共通鍵として用いられたユーザ固有情報であれば、正常に復号された第一の共通鍵を用いて前記キャプチャ情報を正常に復号し、前記第一の記憶手段に格納された暗号化済みのキャプチャ情報を復号するときに前記第二の記憶手段が装着されていない場合、前記第二の暗号化ステップにより暗号化済みの第一の共通鍵を、機器製造シリアル番号を第二の共通鍵として用いて復号し、前記第一の共通鍵の復号に第二の共通鍵として用いられた機器製造シリアル番号が、前記第一の暗号化ステップによる前記第一の共通鍵の暗号化に第二の共通鍵として用いられた機器製造シリアル番号であれば、正常に復号された第一の共通鍵を用いて前記キャプチャ情報を正常に復号する復号ステップとを有するキャプチャ情報暗号化方法をコンピュータに実行させるプログラムを記憶したことを特徴とする。
【００１０】
上記目的を達成するため、請求項４記載の発明は、更に、前記記憶手段に格納されたキャプチャ情報を復号する復号手段を有し、該復号手段は、前記格納キャプチャ情報を復号する際、前記機器の立ち上げ時にユーザが前記パスワードを入力した場合は当該パスワードを共通鍵として選択し、前記パスワードを入力しない場合は前記機器の製造シリアル番号を共通鍵として選択し、先ず前記キャプチャ対象情報の暗号化に用いた共通鍵自体を復号し、該復号した共通鍵を用いて前記格納キャプチャ情報を復号化することを特徴とする。
【００１１】
上記目的を達成するため、請求項５記載の発明は、画像や音声等の情報をキャプチャ可能な容量を有する第一の記憶手段、ユーザ固有情報が格納された第二の記憶手段が各々着脱自在に装着可能な機器に適用されるキャプチャ情報暗号化装置であって、キャプチャ対象情報を暗号化するための共通鍵を生成し、該共通鍵を用いて前記キャプチャ対象情報を暗号化する第一の暗号化手段と、前記ユーザ固有情報を共通鍵として利用し、前記キャプチャ対象情報の暗号化に用いた前記共通鍵自体を暗号化する第二の暗号化手段と、前記暗号化済みのキャプチャ情報及び前記暗号化済みの共通鍵情報を前記第一の記憶手段に格納する格納制御手段とを有することを特徴とする。
【００１２】
上記目的を達成するため、請求項６記載の発明は、更に、前記第一の記憶手段に格納されたキャプチャ情報を復号する復号手段を有し、該復号手段は、前記格納キャプチャ情報を復号する際、前記機器に前記第二の記憶手段が装着されている場合は該第二の記憶手段から読み出したユーザ固有情報を共通鍵として選択し、前記機器に前記第二の記憶手段が装着されていない場合は前記機器の製造シリアル番号を共通鍵として選択し、先ず前記キャプチャ対象情報の暗号化に用いた共通鍵自体を復号し、該復号した共通鍵を用いて前記格納キャプチャ情報を復号化することを特徴とする。
【００１３】
上記目的を達成するため、請求項７記載の発明は、画像や音声等の情報をキャプチャ可能な容量を有する記憶手段が着脱自在に装着可能な情報キャプチャ対応機器であって、キャプチャ対象情報を暗号化するための共通鍵を生成し、該共通鍵を用いて前記キャプチャ対象情報を暗号化する第一の暗号化手段と、ユーザ固有情報を共通鍵として利用し、前記キャプチャ対象情報の暗号化に用いた前記共通鍵自体を暗号化する第二の暗号化手段と、前記暗号化済みのキャプチャ情報及び前記暗号化済みの共通鍵情報を前記記憶手段に格納する格納制御手段とを有することを特徴とする。
【００１４】
上記目的を達成するため、請求項８記載の発明は、前記ユーザ固有情報は、機器製造シリアル番号であることを特徴とする。
【００１５】
上記目的を達成するため、請求項９記載の発明は、前記ユーザ固有情報は、機器立ち上げ時にユーザが入力するパスワードであることを特徴とする。
【００１６】
上記目的を達成するため、請求項１０記載の発明は、更に、前記記憶手段に格納されたキャプチャ情報を復号する復号手段を有し、該復号手段は、前記格納キャプチャ情報を復号する際、機器立ち上げ時にユーザが前記パスワードを入力した場合は当該パスワードを共通鍵として選択し、前記パスワードを入力しない場合は前記機器製造シリアル番号を共通鍵として選択し、先ず前記キャプチャ対象情報の暗号化に用いた共通鍵自体を復号し、該復号した共通鍵を用いて前記格納キャプチャ情報を復号化することを特徴とする。
【００１７】
上記目的を達成するため、請求項１１記載の発明は、画像や音声等の情報をキャプチャ可能な容量を有する第一の記憶手段、ユーザ固有情報が格納された第二の記憶手段が各々着脱自在に装着可能な情報キャプチャ対応機器であって、キャプチャ対象情報を暗号化するための共通鍵を生成し、該共通鍵を用いて前記キャプチャ対象情報を暗号化する第一の暗号化手段と、前記ユーザ固有情報を共通鍵として利用し、前記キャプチャ対象情報の暗号化に用いた前記共通鍵自体を暗号化する第二の暗号化手段と、前記暗号化済みのキャプチャ情報及び前記暗号化済みの共通鍵情報を前記第一の記憶手段に格納する格納制御手段とを有することを特徴とする。
【００１８】
上記目的を達成するため、請求項１２記載の発明は、更に、前記第一の記憶手段に格納されたキャプチャ情報を復号する復号手段を有し、該復号手段は、前記格納キャプチャ情報を復号する際、機器本体に前記第二の記憶手段が装着されている場合は該第二の記憶手段から読み出したユーザ固有情報を共通鍵として選択し、機器本体に前記第二の記憶手段が装着されていない場合は機器製造シリアル番号を共通鍵として選択し、先ず前記キャプチャ対象情報の暗号化に用いた共通鍵自体を復号し、該復号した共通鍵を用いて前記格納キャプチャ情報を復号化することを特徴とする。
【００１９】
上記目的を達成するため、請求項１３記載の発明は、コンピュータゲーム機、テレビ受像機、プリンタ、パーソナルコンピュータ、携帯情報端末等の機器に適用可能であることを特徴とする。
【００２０】
上記目的を達成するため、請求項１４記載の発明は、画像や音声等の情報をキャプチャ可能な容量を有する記憶手段が着脱自在に装着可能な情報キャプチャ対応機器に適用されるキャプチャ情報暗号化方法であって、キャプチャ対象情報を暗号化するための共通鍵を生成し、該共通鍵を用いて前記キャプチャ対象情報を暗号化する第一の暗号化工程と、ユーザ固有情報を共通鍵として利用し、前記キャプチャ対象情報の暗号化に用いた前記共通鍵自体を暗号化する第二の暗号化工程と、前記暗号化済みのキャプチャ情報及び前記暗号化済みの共通鍵情報を前記記憶手段に格納する格納制御工程とを有することを特徴とする。
【００２１】
上記目的を達成するため、請求項１５記載の発明は、前記ユーザ固有情報は、前記機器の製造シリアル番号であることを特徴とする。
【００２２】
上記目的を達成するため、請求項１６記載の発明は、前記ユーザ固有情報は、前記機器の立ち上げ時にユーザが入力するパスワードであることを特徴とする。
【００２３】
上記目的を達成するため、請求項１７記載の発明は、更に、前記記憶手段に格納されたキャプチャ情報を復号する復号工程を有し、該復号工程では、前記格納キャプチャ情報を復号する際、前記機器の立ち上げ時にユーザが前記パスワードを入力した場合は当該パスワードを共通鍵として選択し、前記パスワードを入力しない場合は前記機器の製造シリアル番号を共通鍵として選択し、先ず前記キャプチャ対象情報の暗号化に用いた共通鍵自体を復号し、該復号した共通鍵を用いて前記格納キャプチャ情報を復号化することを特徴とする。
【００２４】
上記目的を達成するため、請求項１８記載の発明は、画像や音声等の情報をキャプチャ可能な容量を有する第一の記憶手段、ユーザ固有情報が格納された第二の記憶手段が各々着脱自在に装着可能な情報キャプチャ対応機器に適用されるキャプチャ情報暗号化方法であって、キャプチャ対象情報を暗号化するための共通鍵を生成し、該共通鍵を用いて前記キャプチャ対象情報を暗号化する第一の暗号化工程と、前記ユーザ固有情報を共通鍵として利用し、前記キャプチャ対象情報の暗号化に用いた前記共通鍵自体を暗号化する第二の暗号化工程と、前記暗号化済みのキャプチャ情報及び前記暗号化済みの共通鍵情報を前記第一の記憶手段に格納する格納制御工程とを有することを特徴とする。
【００２５】
上記目的を達成するため、請求項１９記載の発明は、更に、前記第一の記憶手段に格納されたキャプチャ情報を復号する復号工程を有し、該復号工程では、前記格納キャプチャ情報を復号する際、前記機器に前記第二の記憶手段が装着されている場合は該第二の記憶手段から読み出したユーザ固有情報を共通鍵として選択し、前記機器に前記第二の記憶手段が装着されていない場合は前記機器の製造シリアル番号を共通鍵として選択し、先ず前記キャプチャ対象情報の暗号化に用いた共通鍵自体を復号し、該復号した共通鍵を用いて前記格納キャプチャ情報を復号化することを特徴とする。
【００２６】
上記目的を達成するため、請求項２０記載の発明は、コンピュータゲーム機、テレビ受像機、プリンタ、パーソナルコンピュータ、携帯情報端末等の機器に適用可能であることを特徴とする。
【００２７】
上記目的を達成するため、請求項２１記載の発明は、画像や音声等の情報をキャプチャ可能な容量を有する記憶手段が着脱自在に装着可能な情報キャプチャ対応機器に適用されるキャプチャ情報暗号化方法を実行するプログラムを記憶したコンピュータにより読み出し可能な記憶媒体であって、前記キャプチャ情報暗号化方法は、キャプチャ対象情報を暗号化するための共通鍵を生成し、該共通鍵を用いて前記キャプチャ対象情報を暗号化するように制御する第一の暗号化ステップと、ユーザ固有情報を共通鍵として利用し、前記キャプチャ対象情報の暗号化に用いた前記共通鍵自体を暗号化するように制御する第二の暗号化ステップと、前記暗号化済みのキャプチャ情報及び前記暗号化済みの共通鍵情報を前記記憶手段に格納するように制御する格納制御ステップとを有することを特徴とする。
【００２８】
上記目的を達成するため、請求項２２記載の発明は、前記ユーザ固有情報は、前記機器の製造シリアル番号であることを特徴とする。
【００２９】
上記目的を達成するため、請求項２３記載の発明は、前記ユーザ固有情報は、前記機器の立ち上げ時にユーザが入力するパスワードであることを特徴とする。
【００３０】
上記目的を達成するため、請求項２４記載の発明は、前記キャプチャ情報暗号化方法は、更に、前記記憶手段に格納されたキャプチャ情報を復号するように制御する復号ステップを有し、該復号ステップでは、前記格納キャプチャ情報を復号する際、前記機器の立ち上げ時にユーザが前記パスワードを入力した場合は当該パスワードを共通鍵として選択し、前記パスワードを入力しない場合は前記機器の製造シリアル番号を共通鍵として選択し、先ず前記キャプチャ対象情報の暗号化に用いた共通鍵自体を復号し、該復号した共通鍵を用いて前記格納キャプチャ情報を復号化するように制御することを特徴とする。
【００３１】
上記目的を達成するため、請求項２５記載の発明は、画像や音声等の情報をキャプチャ可能な容量を有する第一の記憶手段、ユーザ固有情報が格納された第二の記憶手段が各々着脱自在に装着可能な情報キャプチャ対応機器に適用されるキャプチャ情報暗号化方法を実行するプログラムを記憶したコンピュータにより読み出し可能な記憶媒体であって、前記キャプチャ情報暗号化方法は、キャプチャ対象情報を暗号化するための共通鍵を生成し、該共通鍵を用いて前記キャプチャ対象情報を暗号化するように制御する第一の暗号化ステップと、前記ユーザ固有情報を共通鍵として利用し、前記キャプチャ対象情報の暗号化に用いた前記共通鍵自体を暗号化するように制御する第二の暗号化ステップと、前記暗号化済みのキャプチャ情報及び前記暗号化済みの共通鍵情報を前記第一の記憶手段に格納するように制御する格納制御ステップとを有することを特徴とする。
【００３２】
上記目的を達成するため、請求項２６記載の発明は、前記キャプチャ情報暗号化方法は、更に、前記第一の記憶手段に格納されたキャプチャ情報を復号するように制御する復号ステップを有し、該復号ステップでは、前記格納キャプチャ情報を復号する際、前記機器に前記第二の記憶手段が装着されている場合は該第二の記憶手段から読み出したユーザ固有情報を共通鍵として選択し、前記機器に前記第二の記憶手段が装着されていない場合は前記機器の製造シリアル番号を共通鍵として選択し、先ず前記キャプチャ対象情報の暗号化に用いた共通鍵自体を復号し、該復号した共通鍵を用いて前記格納キャプチャ情報を復号化するように制御することを特徴とする。
【００３３】
上記目的を達成するため、請求項２７記載の発明は、コンピュータゲーム機、テレビ受像機、プリンタ、パーソナルコンピュータ、携帯情報端末等の機器に適用可能であることを特徴とする。
【００３４】
【発明の実施の形態】
以下、本発明の実施の形態を図面に基づいて詳細に説明する。
【００３５】
本発明のキャプチャ情報暗号化方法及び対応機器の一実施形態として、コンピュータゲーム機に着脱式のメモリモジュールを装着し、該メモリモジュールにゲーム上の１シーンをキャプチャする例を示す。
【００３６】
図５は本発明の実施の形態に係るコンピュータゲーム用シーン情報キャプチャシステムの構成例を示す概念図、図６は本発明の実施の形態に係るコンピュータゲーム用シーン情報キャプチャシステムにおいてユーザ固有情報入力手段としてＩＣカードを用いた場合の構成例を示す概念図である。本発明の実施の形態に係るコンピュータゲーム用シーン情報キャプチャシステムは、コンピュータゲーム機１０１、メモリモジュール収容テレビ１１０、メモリモジュール収容プリンタ１２０、メモリモジュール収容パーソナルコンピュータ（以下ＰＣ）１３０から構成されている。
【００３７】
上記構成を詳述すると、コンピュータゲーム機１０１は、ゲーム機本体に対しメモリモジュール１００、ＩＣカード２００が着脱自在に装着可能であると共に、ゲーム機本体に対しゲーム機コントロールパット１０２及びディスプレイ１０３が接続可能である。メモリモジュール１００は、本発明の暗号化キャプチャ情報の格納媒体である。ゲーム機コントロールパット１０２は、コンピュータゲーム機１０１でコンピュータゲームを行う際の各種操作に用いる。ディスプレイ１０３は、コンピュータゲーム機１０１の出力情報を表示する。同様に、メモリモジュール収容テレビ１１０、メモリモジュール収容プリンタ１２０、メモリモジュール収容ＰＣ１３０も、各々、メモリモジュール１００、ＩＣカード２００が着脱自在に装着可能に構成されている。
【００３８】
即ち、メモリモジュール１００にキャプチャされた情報は、コンピュータゲーム機１０１での自己再生以外にも、メモリモジュール収容テレビ１１０、メモリモジュール収容プリンタ１２０、メモリモジュール収容ＰＣ１３０での再生を、著作権保護法等において正当な権利として保証されている個人利用範囲を逸脱しない形で実現するのが本発明の目的である。
【００３９】
本発明の実施の形態では、図６に示すように、システムのユーザ固有情報入力手段の例として、ユーザプロファイル情報が格納されたＩＣカード２００を用いる例を示している。コンピュータゲーム機１０１、メモリモジュール収容テレビ１１０、メモリモジュール収容プリンタ１２０、メモリモジュール収容ＰＣ１３０の全ての機器に、上記のＩＣカード２００を収容する機能を付加している。
【００４０】
図１は本発明の実施の形態に係るコンピュータゲーム機１０１の構成例を示す機能ブロック図である。本発明の実施の形態に係るコンピュータゲーム機１０１は、メモリ６０１、制御ＣＰＵ６０２、グラフィックエンジン６０３、オーディオエンジン６０４、ＣＤ／ＤＶＤ  ＲＯＭ６０５、着脱メモリユニット６０６、コントロールユニット６０７、Ａ／Ｖ出力インタフェース６０８、ＩＣカードインタフェース６０９を備えている。
【００４１】
上記構成を詳述すると、メモリ６０１は、各種データを記憶する。制御ＣＰＵ６０２は、コンピュータゲーム機１０１全体を制御するものであり、後述の図８〜図１０のフローチャートに示す処理を実行可能に構成されている。グラフィックエンジン６０３は、高速な図形処理を行う。オーディオエンジン６０４は、音声処理を行う。ＣＤ／ＤＶＤ  ＲＯＭ６０５は、プログラムや固定データを記憶する。着脱メモリユニット６０６には、メモリモジュール１００が着脱自在に装着される。コントロールユニット６０７は、本ゲーム機に接続されたゲーム機コントロールパットとの間の信号入出力を行う。Ａ／Ｖ出力インタフェース６０８は、音声／映像出力のインタフェースを司る。ＩＣカードインタフェース６０９は、装着されたＩＣカード２００とのインタフェースを司るものであり、ユーザ固有情報（ユーザ識別番号）入力のためのものである。
【００４２】
図２は本発明の実施の形態に係るメモリモジュール収容テレビ１１０の構成例を示す機能ブロック図である。本発明の実施の形態に係るメモリモジュール収容テレビ１１０は、放送受信部７０１、Ａ／Ｖ入力インタフェース７０２、画像・音声処理部７０３、出力制御部７０４、制御ＣＰＵ７０５、着脱メモリユニット７０６、リモコンインタフェース７０７、メモリ７０８、ＩＣカードインタフェース７０９、画像表示部７１０を備えている。
【００４３】
上記構成を詳述すると、放送受信部７０１は、テレビ放送の受信を行う。Ａ／Ｖ入力インタフェース７０２は、音声／映像入力のインタフェースを司る。画像・音声処理部７０３は、放送受信部７０１で受信したテレビ放送の画像・音声処理を行う。出力制御部７０４は、画像表示部７１０に対する出力制御を行う。制御ＣＰＵ７０５は、メモリモジュール収容テレビ１１０全体を制御するものであり、後述の図８〜図１０のフローチャートに示す処理を実行可能に構成されている。着脱メモリユニット７０６には、メモリモジュール１００が着脱自在に装着される。リモコンインタフェース７０７は、メモリモジュール収容テレビ１１０に付属のリモートコントローラ（リモコン）とのインタフェースを司る。メモリ７０８は、プログラムやデータを記憶する。ＩＣカードインタフェース７０９は、装着されたＩＣカード２００とのインタフェースを司るものであり、ユーザ固有情報（ユーザ識別番号）入力のためのものである。
【００４４】
図３は本発明の実施の形態に係るメモリモジュール収容プリンタ１２０の構成例を示す機能ブロック図である。本発明の実施の形態に係るメモリモジュール収容プリンタ１２０は、スキャナ入力インタフェース８０１、画像処理部８０２、画像処理部８０３、出力制御部８０４、制御ＣＰＵ８０５、着脱メモリユニット８０６、パソコン用インタフェース８０７、メモリ８０８、ＩＣカードインタフェース８０９を備えている。
【００４５】
上記構成を詳述すると、スキャナ入力インタフェース８０１は、画像読み取りを行うスキャナとのインタフェースを司る。画像処理部８０２、８０３は、出力対象画像の画像処理を行う。出力制御部８０４は、記録紙等の記録媒体８１０に対する画像出力を制御する。制御ＣＰＵ８０５は、メモリモジュール収容プリンタ１２０全体を制御するものであり、後述の図８〜図１０のフローチャートに示す処理を実行可能に構成されている。着脱メモリユニット８０６には、メモリモジュール１００が着脱自在に装着される。パソコン用インタフェース８０７は、パーソナルコンピュータ（ＰＣ）とのインタフェースを司る。メモリ８０８は、プログラムやデータを記憶する。ＩＣカードインタフェース８０９は、装着されたＩＣカード２００とのインタフェースを司るものであり、ユーザ固有情報（ユーザ識別番号）入力のためのものである。
【００４６】
図４は本発明の実施の形態に係るメモリモジュール収容ＰＣ１３０の構成例を示す機能ブロック図である。本発明の実施の形態に係るメモリモジュール収容ＰＣ１３０は、メモリ９０１、制御ＣＰＵ９０２、グラフィックエンジン９０３、オーディオエンジン９０４、表示部９０５、補助記憶媒体９０６、着脱メモリユニット９０７、キーボード９０８、外部Ｉ／Ｏ９０９、ＩＣカードインタフェース９１０を備えている。
【００４７】
上記構成を詳述すると、メモリ９０１は、プログラムやデータを記憶する。制御ＣＰＵ９０２は、メモリモジュール収容ＰＣ１３０全体を制御するものであり、後述の図８〜図１０のフローチャートに示す処理を実行可能に構成されている。グラフィックエンジン９０３は、高速な図形処理を行う。オーディオエンジン９０４は、音声処理を行う。表示部９０５は、画像を表示する。補助記憶媒体９０６は、ハードディスク等から構成され、補助記憶手段として使用される。着脱メモリユニット９０７には、メモリモジュール１００が着脱自在に装着される。キーボード９０８は、データ入力等に使用される。外部Ｉ／Ｏ９０９は、外部機器との入出力を制御する。ＩＣカードインタフェース９１０は、装着されたＩＣカード２００とのインタフェースを司るものであり、ユーザ固有情報（ユーザ識別番号）入力のためのものである。
【００４８】
図７は本発明の実施の形態に係るメモリモジュール１００の論理情報フォーマット例を示す説明図である。本発明の実施の形態では、同一メモリモジュール上に、ゲーム中の１シーンをキャプチャした情報を記憶するキャプチャ情報格納エリア１・３０２、キャプチャ情報格納エリア２・３０４、ゲームの進行状況ステータスを記憶するゲーム状況セーブエリア１・３０５、ゲーム状況セーブエリア２・３０６、後述のキャプチャエリア暗号化鍵情報１・３０１、キャプチャエリア暗号化鍵情報２・３０３を備えている。図７では、記憶エリアはページの割り付けやアドレスの条件により分割されている例を示している。
【００４９】
キャプチャ情報はそれぞれの共通鍵を用いて暗号化されて格納されており、暗号化に用いたそれぞれの共通鍵情報はユーザ固有情報を用いて暗号化され、それぞれキャプチャエリア暗号化鍵情報１・３０１、キャプチャエリア暗号化鍵情報２・３０３としてメモリモジュールに格納される。
【００５０】
図１２は本発明のプログラム及び関連データが記憶媒体から装置に供給される概念例を示す説明図である。本発明のプログラム及び関連データは、フロッピディスクやＣＤ−ＲＯＭ等の記憶媒体１２０１を装置１２０２に装備された記憶媒体ドライブ挿入口１２０３に挿入することで供給される。その後、本発明のプログラム及び関連データを記憶媒体１２０１から一旦ハードディスクにインストールしハードディスクからＲＡＭにロードするか、或いはハードディスクにインストールせずに直接ＲＡＭにロードすることで、本発明のプログラム及び関連データを実行することが可能となる。
【００５１】
この場合、本発明の実施の形態に係るコンピュータゲーム機１０１、メモリモジュール収容テレビ１１０、メモリモジュール収容プリンタ１２０、メモリモジュール収容ＰＣ１３０において本発明のプログラムを実行する場合は、例えば上記図１２に示したような手順で上記各機器に本発明のプログラム及び関連データを供給するか、或いは上記各機器に予め本発明のプログラム及び関連データを格納しておくことで、プログラム実行が可能となる。
【００５２】
図１１は本発明のプログラム及び関連データを記憶した記憶媒体の記憶内容の構成例を示す説明図である。本発明の記憶媒体は、例えばボリューム情報１１０１、ディレクトリ情報１１０２、プログラム実行ファイル１１０３、プログラム関連データファイル１１０４等の記憶内容で構成される。本発明のプログラムは、後述の図８〜図１０のフローチャートに基づきプログラムコード化されたものである。
【００５３】
尚、本発明の特許請求の範囲における各構成要件と、本発明の実施の形態における各部との対応関係は下記の通りである。情報キャプチャ対応機器はコンピュータゲーム機１０１、メモリモジュール収容テレビ１１０、メモリモジュール収容プリンタ１２０、メモリモジュール収容ＰＣ１３０に対応し、第一の暗号化手段、第二の暗号化手段、復号手段、格納制御手段は制御ＣＰＵ６０１、７０５、８０５、９０２に対応し、第一の記憶手段はメモリモジュール１００に対応し、第二の記憶手段はＩＣカード２００に対応する。
【００５４】
次に、上記の如く構成された本発明の実施の形態に係るコンピュータゲーム用シーン情報キャプチャシステムを構成する機器の動作を図８〜図１０のフローチャートを参照しながら詳細に説明する。
【００５５】
図８は本発明の実施の形態に係る情報キャプチャ時の機器制御の流れを示すフローチャートである。本制御は、上記構成を有するコンピュータゲーム機１０１、メモリモジュール収容テレビ１１０、メモリモジュール収容プリンタ１２０、メモリモジュール収容ＰＣ１３０の何れの機器にも適用可能である。
【００５６】
情報のキャプチャを行う際、機器内部で今回キャプチャする情報の暗号化のための共通鍵を自己生成し（ステップＳ４０１）、共通鍵暗号化方式によるキャプチャ情報の暗号化を行う（ステップＳ４０２）。次に、機器に対するＩＣカード等のユーザ識別モジュールの装着の有無の確認を行う（ステップＳ４０３）。ステップＳ４０３でＩＣカード等のユーザ識別モジュールが機器に装着中であれば、ユーザ識別モジュールよりユーザ識別番号（ユーザ固有情報）を読み出し（ステップＳ４０４）、上記キャプチャ情報の暗号化に用いた共通鍵を、上記ユーザ識別番号を共通鍵とした共通鍵暗号化方式を用いて更に暗号化する（ステップＳ４０５）。
【００５７】
他方、上記ステップＳ４０３でＩＣカード等のユーザ識別モジュールが機器に装着中でなければ、当該機器の製造シリアル番号を読み出し（ステップＳ４０６）、上記キャプチャ情報の暗号化に用いた共通鍵を、当該機器の製造シリアル番号を共通鍵とした共通鍵暗号化方式を用いて更に暗号化する（ステップＳ４０７）。上記ステップＳ４０５或いは上記ステップＳ４０７の処理後は、上記手順にて暗号化されたキャプチャ情報及びキャプチャエリア暗号化鍵情報を、機器に装着されているメモリモジュールの該当エリア３０１、３０２、３０３、３０４に格納し（ステップＳ４０８）、キャプチャ処理を１処理単位終了する。
【００５８】
図９・図１０は本発明の実施の形態に係るキャプチャ情報復号時の機器制御の流れを示すフローチャートである。本制御は、上記構成を有するコンピュータゲーム機１０１、メモリモジュール収容テレビ１１０、メモリモジュール収容プリンタ１２０、メモリモジュール収容ＰＣ１３０の何れの機器にも適用可能である。
【００５９】
キャプチャ情報の復号を行う際、機器に対するＩＣカード等のユーザ識別モジュールの装着の有無の確認を行う（ステップＳ５０１）。ステップＳ５０１でＩＣカード等のユーザ識別モジュールが機器に装着中であれば、ユーザ識別モジュールよりユーザ識別番号（ユーザ固有情報）を読み出し（ステップＳ５０２）、キャプチャ情報暗号化鍵の格納エリアの情報を、ユーザ識別番号を共通鍵として用いて復号し（ステップＳ５０３）、キャプチャ情報用の暗号化共通鍵を入手し（ステップＳ５０４）、当該暗号化共通鍵を用いてキャプチャ情報の復号化を行う（ステップＳ５０５）。
【００６０】
キャプチャ操作を行ったユーザが復号操作を行ったのであれば、正常に復号されるので、正常なキャプチャ情報を得ることができるが（ステップＳ５０６、ステップＳ５１２）、キャプチャ操作を行ったユーザと復号操作を行ったユーザが異なる（ユーザ識別番号が異なる）場合、上記ステップＳ５０３の処理ではキャプチャ情報の暗号化に用いた正しい共通鍵を得ることができないため、正常に復号化されていない異常情報を得ることとなる（ステップＳ５０６、ステップＳ５１３）。
【００６１】
他方、上記ステップＳ５０１でＩＣカード等のユーザ識別モジュールが機器に装着中でなければ、機器の製造シリアル番号を読み出し（ステップＳ５０７）、キャプチャ情報暗号化鍵の格納エリアの情報を、当該機器のシリアル製造番号を共通鍵として用いて復号し（ステップＳ５０８）、キャプチャ情報用の暗号化共通鍵を入手し（ステップＳ５０９）、当該暗号化共通鍵を用いてキャプチャ情報の復号化を行う（ステップＳ５１０）。
【００６２】
キャプチャ操作を行った機器にて復号操作を行ったのであれば、正常に復号されるので、正常なキャプチャ情報を得ることができるが（ステップＳ５１１、ステップＳ５１４）、キャプチャ操作を行った機器と復号操作を行った機器が異なる（機器製造シリアル番号が異なる）場合、上記ステップＳ５０８の処理ではキャプチャ情報の暗号化に用いた正しい共通鍵を得ることができないため、正常に復号化されていない異常情報を得ることとなる（ステップＳ５１１、ステップＳ５１５）。
【００６３】
これにより、キャプチャ情報の正常復号を、キャプチャ処理を行ったユーザと、キャプチャ処理を行った機器のみに限定することが可能となる。
【００６４】
以上説明したように、本発明の実施の形態に係る情報キャプチャ対応機器によれば、画像や音声等の情報をキャプチャ可能な容量を有するメモリモジュール２００が装着される着脱メモリユニットと、ユーザ固有情報が格納されたＩＣカード２００が装着されるＩＣカードインタフェースと、キャプチャ対象情報を暗号化するための共通鍵を生成し、共通鍵を用いてキャプチャ対象情報を暗号化する制御、ユーザ固有情報を共通鍵として利用し、キャプチャ対象情報の暗号化に用いた共通鍵自体を暗号化する制御、暗号化済みのキャプチャ情報及び暗号化済みの共通鍵情報をメモリモジュール１００に格納する制御、メモリモジュール１００の格納キャプチャ情報を復号する際、機器立ち上げ時にユーザがパスワードを入力した場合はパスワードを共通鍵として選択し、パスワードを入力しない場合は機器製造シリアル番号を共通鍵として選択し、先ずキャプチャ対象情報の暗号化に用いた共通鍵自体を復号し、復号した共通鍵を用いて格納キャプチャ情報を復号化する制御を行う制御ＣＰＵとを備えているため、下記のような作用及び効果を奏する。
【００６５】
機器に着脱が可能で且つ画像・音声等の情報をキャプチャ可能な容量を有するメモリモジュール、及び該メモリモジュールを収容可能な機器において、画像・音声等の情報のキャプチャを行う際に、機器内にて共通鍵暗号方式の鍵を生成し、当該キャプチャ情報を共通鍵を用いて暗号化すると共に、機器起動時にユーザが入力するパスワードや、機器に収容可能なユーザ情報格納モジュール等より入力されたり、その他の外部入力手段により入力されるユーザ固有情報、ユーザ情報の入力がない場合は、機器の製品シリアル番号を共通鍵として利用し、上記キャプチャに用いた共通鍵自身を暗号化し、メモリモジュールに当該暗号化済みの共通鍵情報及び暗号化済みのキャプチャ情報を格納する。
【００６６】
上記キャプチャ情報を復号する際、機器起動時にユーザが入力するパスワードや、機器に収容可能なユーザ情報格納モジュール等より入力されたり、その他の外部入力手段により入力されるユーザ固有情報、ユーザ情報の入力がない場合は、機器の製品シリアル番号を共通鍵として利用して、メモリモジュールより読み出した上記暗号化済み共通鍵情報を復号し、共通鍵情報を用いて、上記メモリモジュールより読み出したキャプチャ情報の復号を行う。
【００６７】
上記キャプチャ情報の暗号化・復号化制御を実施することにより、符号化操作を行ったユーザの操作する機器及びキャプチャ操作を行ったものと同一機器のみで、キャプチャ情報の正確な復号が可能となる。
【００６８】
これにより、キャプチャ情報を同一ユーザによる利用或いは同一機器での利用に制限することが可能となり、個人利用範囲を逸脱するキャプチャ情報の利用（キャプチャ情報のメモリモジュールによる配布等）を防止することが可能となるという効果が得られる。
【００６９】
［他の実施の形態］
上述した本発明の実施の形態においては、ユーザ固有情報の入力手段として、ＩＣカード等のユーザ情報識別モジュールを機器に接続し、ユーザ固有情報を入力する例を示したが、本発明はこれに限定されるものではなく、この他にも、ユーザ固有情報として、機器立ち上げ時にユーザが入力するパスワード情報や、ユーザの指紋情報、ユーザの眼の網膜パターン情報を数値化したものをキャプチャ情報の暗号化共通鍵を暗号化するための鍵として用いることも、同様に有効である。
【００７０】
また、上述した本発明の実施の形態においては、キャプチャ情報対応機器として、コンピュータゲーム機１０１、メモリモジュール収容テレビ１１０、メモリモジュール収容プリンタ１２０、メモリモジュール収容ＰＣ１３０の場合を例に上げたが、本発明はこれに限定されるものではなく、上記機器の他、メモリモジュールやＩＣカードが着脱可能に構成された機器、例えばメモリモジュール収容携帯情報端末などの機器にも適用可能である。
【００７１】
尚、本発明は、複数の機器から構成されるシステムに適用しても、１つの機器からなる装置に適用してもよい。上述した実施形態の機能を実現するソフトウエアのプログラムコードを記憶した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００７２】
この場合、記憶媒体から読み出されたプログラムコード自体が上述した実施形態の機能を実現することになり、そのプログラムコードを記憶した記憶媒体は本発明を構成することになる。プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７３】
また、コンピュータが読出したプログラムコードを実行することにより、上述した実施形態の機能が実現されるだけでなく、そのプログラムコードの指示に基づき、コンピュータ上で稼働しているＯＳなどが実際の処理の一部または全部を行い、その処理によって上述した実施形態の機能が実現される場合も含まれることは言うまでもない。
【００７４】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も含まれることは言うまでもない。
【００７８】
【発明の効果】
以上説明したように、本発明によれば、キャプチャ情報の利用を制限することが可能となり、ユーザの利便性を向上することが可能となるという効果が得られる。
【図面の簡単な説明】
【図１】本発明の実施の形態に係るコンピュータゲーム機の構成例を示す機能ブロック図である。
【図２】本発明の実施の形態に係るメモリモジュール収容テレビの構成例を示す機能ブロック図である。
【図３】本発明の実施の形態に係るメモリモジュール収容プリンタの構成例を示す機能ブロック図である。
【図４】本発明の実施の形態に係るメモリモジュール収容パーソナルコンピュータの構成例を示す機能ブロック図である。
【図５】本発明の実施の形態に係るコンピュータゲーム用シーン情報キャプチャシステムの構成例を示す概念図である。
【図６】本発明の実施の形態に係るコンピュータゲーム用シーン情報キャプチャシステムにおいてユーザ固有情報入力手段としてＩＣカードを用いた場合の構成例を示す概念図である。
【図７】本発明の実施の形態に係る着脱式メモリモジュールの論理情報フォーマット例を示す説明図である。
【図８】本発明の実施の形態に係る情報キャプチャ時の機器制御の流れを示すフローチャートである。
【図９】本発明の実施の形態に係るキャプチャ情報復号時の機器制御の流れを示すフローチャートである。
【図１０】本発明の実施の形態に係るキャプチャ情報復号時の機器制御の流れを示すフローチャートである。
【図１１】本発明のプログラム及び関連データを記憶した記憶媒体の記憶内容の構成例を示す説明図である。
【図１２】本発明のプログラム及び関連データが記憶媒体から装置に供給される概念例を示す説明図である。
【符号の説明】
１００  メモリモジュール
１０１  コンピュータゲーム機
１１０  メモリモジュール収容テレビ
１２０  メモリモジュール収容プリンタ
１３０  メモリモジュール収容ＰＣ
２００  ＩＣカード
６０１、７０５、８０５、９０２  制御ＣＰＵ
６０６、７０６、８０６、９０７  着脱メモリユニット
６０９、７０９、８０９、９１０  ＩＣカードインタフェース
【図１】
0004508334.tif 000002
【図２】
0004508334.tif 000003
【図３】
0004508334.tif 000004
【図４】
0004508334.tif 000005
【図５】
0004508334.tif 000006
【図６】
0004508334.tif 000007
【図７】
0004508334.tif 000008
【図８】
0004508334.tif 000009
【図９】
0004508334.tif 000010
【図１０】
0004508334.tif 000011
【図１１】
0004508334.tif 000012
【図１２】
0004508334.tif 000013